(57)【特許請求の範囲】
【請求項１】
情報端末と家電機器とを備えるネットワークシステムであって、
前記家電機器は、
所定の通信方式で通信を行う第１の通信部と、
前記第１の通信部による通信に用いられる通信設定情報と、前記家電機器の機種情報と、に基づいて多次元コードを生成する多次元コード生成部と、
前記多次元コード生成部によって生成された多次元コードを表示する多次元コード表示部と、
前記第１の通信部を介して受信した制御命令を実行し、その実行結果を応答として返信する第１の制御部と、
を備え、
前記情報端末は、
前記家電機器の前記多次元コード表示部に表示された多次元コードを読み取って前記家電機器の通信設定情報と機種情報とに変換する多次元コード読取部と、
前記所定の通信方式で通信を行う第２の通信部と、
前記多次元コード読取部により変換された前記通信設定情報に基づいて、前記第２の通信部から前記第１の通信部を介して前記第１の制御部にアクセスして前記家電機器を制御する第２の制御部と、
画像情報を表示する表示部と、
家電機器の機種情報に対応するアイコン画像データを複数記憶する記憶部と、
を備え、
前記第２の制御部は、前記読み取った多次元コードから変換された機種情報に対応するアイコン画像データに基づいて、前記家電機器のアイコンを前記表示部に表示させる、
ネットワークシステム。
【請求項２】
前記情報端末は、
操作入力情報を受け付ける操作部をさらに備え、
前記第２の制御部は、
前記操作部で受け付けられた操作入力情報に基づく制御命令を、前記第２の通信部を介して、前記第１の通信部に送信し、前記第２の通信部を介して前記第１の通信部から受信した情報を前記表示部に表示させる制御部と、
をさらに備える請求項１に記載のネットワークシステム。
【請求項３】
前記多次元コード読取部は、
読み取った多次元コードを前記家電機器の機能情報に変換し、
前記第２の制御部は、変換された前記機能情報を前記表示部に表示させる、
請求項２に記載のネットワークシステム。
【請求項４】
前記家電機器は、
家電機器本体と、
前記多次元コード表示部を有する操作端末と、
を備える、
請求項１乃至３のいずれか一項に記載のネットワークシステム。
【請求項５】
ネットワークに接続する家電機器のコントローラとして用いられる情報端末であって、
前記家電機器の多次元コード表示部に表示された多次元コードを読み取って、前記家電機器の通信設定情報と機種情報とに変換する多次元コード読取部と、
所定の通信方式で通信を行う通信部と、
前記多次元コード読取部により変換された通信設定情報に基づいて、前記通信部を介して前記家電機器にアクセスして前記家電機器を制御する制御部と、
画像情報を表示する表示部と、
家電機器の機種情報に対応するアイコン画像データを複数記憶する記憶部と、
を備え、
前記第２の制御部は、前記読み取った多次元コードから変換された機種情報に対応するアイコン画像データに基づいて、前記家電機器のアイコンを前記表示部に表示させる、
情報端末。
【請求項６】
情報端末と家電機器とを備えるネットワークシステムの通信設定方法であって、
前記家電機器において、通信に用いられる通信設定情報と、前記家電機器の機種情報と、に基づいて多次元コードを生成する多次元コード生成工程と、
前記家電機器において、生成された多次元コードを表示する多次元コード表示工程と、
前記情報端末において、前記家電機器のディスプレイに表示された多次元コードを読取可能な多次元コード読取工程と、
前記情報端末において、多次元コード読取工程において、読み取られた多次元コードを、前記家電機器の通信設定情報と機種情報とに変換する変換工程と、
前記変換工程において、変換された前記通信設定情報に基づいて、前記家電機器との通信を確立する通信工程と、
前記情報端末において、画像情報を表示部に表示する表示工程と、
前記情報端末において、家電機器の機種情報と対応するアイコン画像データを記憶部に複数記憶する記憶工程と、
前記情報端末において、前記読み取った多次元コードから変換された機種情報に対応するアイコン画像データに基づいて、前記家電機器のアイコンを前記表示工程において前記表示部に表示させる制御工程と、
を含む通信設定方法。
【請求項７】
家電機器を制御するコンピュータを、
所定の通信方式で通信を行う第１の通信部と、
前記第１の通信部による通信に用いられる通信設定情報と、前記家電機器の機種情報と、に基づいて多次元コードを生成する多次元コード生成部と、
前記多次元コード生成部によって生成された多次元コードを表示する多次元コード表示部と、
前記第１の通信部を介して受信した制御命令を実行し、その実行結果を応答として返信する第１の制御部と、
して機能させ、
情報端末を制御するコンピュータを、
前記家電機器の前記多次元コード表示部に表示された多次元コードを読み取って前記家電機器の通信設定情報と機種情報とに変換する多次元コード読取部と、
前記所定の通信方式で通信を行う第２の通信部と、
前記多次元コード読取部により変換された前記通信設定情報に基づいて、前記第２の通信部から前記第１の通信部を介して前記第１の制御部にアクセスして前記家電機器を制御する第２の制御部と、
画像情報を表示する表示部と、
家電機器の機種情報に対応するアイコン画像データを複数記憶する記憶部と、
して機能させ、
前記第２の制御部は、前記読み取った多次元コードから変換された機種情報に対応するアイコン画像データに基づいて、前記家電機器のアイコンを前記表示部に表示させる、
プログラム。
【発明の詳細な説明】
【技術分野】
【０００１】
この発明は、ネットワークシステム、情報端末、通信設定方法及びプログラムに関する。
【背景技術】
【０００２】
近年、テレビやブルーレイレコーダなどの家電機器の中には、ネットワークに接続可能なものが登場している。携帯電話やスマートフォンなどの携帯型情報端末からこれらの家電機器にアクセスして、携帯型情報端末に家電機器の現在の状態を表示したり、情報端末を操作して家電機器を遠隔操作することが可能となっている。これにより、例えば、スマートフォンをテレビやエアコンのリモートコントローラとして使用することができる。
【０００３】
ネットワークに接続された家電機器と携帯型情報端末とが通信を行うには、相手のＩＰアドレス等の通信設定情報を把握する必要がある。そこで、従来より、家電機器がネットワークに接続する際の通信設定情報の取得方法が開示されている（例えば、特許文献１参照）。この方法では、通信ネットワークの利用者が、サービスプロバイダへ接続する際、利用者の機器とサービスプロバイダ側の設備との通信を可能にする接続装置（ルータやモデムなど）が必要となる。
【０００４】
サービスプロバイダは、接続を求める利用者に対して、何らかの認証を行うのが通常である。利用者は、サービスプロバイダから利用者に郵送などによって配布された認証用の固有情報を、サービスプロバイダに送信する。接続装置にこうした固有情報を記憶すれば、接続の度に固有情報を入力する手間を省くことができる。特許文献１に係る方法では、接続装置に接続するための固有情報を含むＱＲコード（登録商標）を、固定的なシート状の記録媒体に記録し、このコードを接続装置側で撮像することにより入力の手間を省いている。
【０００５】
さらに、通信設定情報の他の取得方法が開示されている（例えば、特許文献２参照）。この方法では、携帯型情報端末と家電機器とは、互いに通信範囲が異なる第１の通信手段と、第２の通信手段とを備えている。携帯型情報端末が家電機器の第１の通信手段の通信範囲内に入った場合に、家電機器は第２の通信手段による通信を確立するための通信設定情報等を、第１の通信手段を介して携帯型情報端末に送信する。携帯型情報端末は、第１の通信手段を介して受信した通信設定情報に基づいて、第２の通信手段によって家電機器との通信を確立する。
【０００６】
この方法では、携帯型情報端末と家電機器が接近した場合に通信を開始するため、ユーザが携帯型情報端末を家電機器に近づけることで直感的に家電機器を指定することができる。
【先行技術文献】
【特許文献】
【０００７】
【特許文献１】特開２０１０−６１２９２号公報
【特許文献２】特開２００９−３７５６６号公報
【発明の概要】
【発明が解決しようとする課題】
【０００８】
上記特許文献１に係る取得方法では、家電機器の通信設定情報の伝達に、シート状の記録媒体に固定的に記録された多次元コードを用いているため、ネットワーク接続時に決定する通信設定情報や、家電機器の状態などの動的な情報を伝達することができない。
【０００９】
例えば、ネットワークにおける家電機器の識別子（ＩＰアドレス）は、家電機器がネットワークに接続した際にルータなどのＤＨＣＰ（Ｄｙｎａｍｉｃ  Ｈｏｓｔ  Ｃｏｎｆｉｇｕｒａｔｉｏｎ  Ｐｒｏｔｏｃｏｌ）により動的に割り当てられる。携帯型情報端末が家電機器と通信を行うためには、家電機器のＩＰアドレスを把握する必要があるが、ＩＰアドレスは動的に割り当てられるため、多次元コードをシート状の記録媒体に予め記録する方式ではＩＰアドレス等の動的な情報を伝達することができない。
【００１０】
また、上記特許文献２に係る取得方法では、携帯型情報端末や家電機器が通信範囲内に３台以上存在した場合には、どの携帯型情報端末と家電機器が通信を行っているのかを特定するのが困難になる。また、この方法では、第１の通信手段としてＢｌｕｅｔｏｏｔｈ（登録商標）などの非接触の通信手段が用いられている。Ｂｌｕｅｔｏｏｔｈ（登録商標）などの非接触の通信手段は、携帯型情報端末と家電機器との位置関係が変われば、通信が不安定になることもある。
【００１１】
このように、従来のシステムでは、携帯型情報端末と家電機器との通信接続が困難な場合が多く、特定の家電機器を操作端末から制御するシステムを構築する際の障害となっていた。
【００１２】
この発明は、上記実情に鑑みてなされたものであり、特定の家電機器を操作端末から確実に制御することができるネットワークシステム、情報端末、通信設定方法及びプログラムを提供することを目的とする。
【課題を解決するための手段】
【００１３】
上記目的を達成するために、この発明に係るネットワークシステムは、情報端末と家電機器とを備えるネットワークシステムである。このネットワークシステムにおいて、家電機器は、所定の通信方式で通信を行う第１の通信部と、第１の通信部による通信に用いられる通信設定情報と、家電機器の機種情報と、に基づいて多次元コードを生成する多次元コード生成部と、多次元コード生成部によって生成された多次元コードを表示する多次元コード表示部と、第１の通信部を介して受信した制御命令を実行し、その実行結果を応答として返信する第１の制御部と、を備える。また、情報端末は、家電機器の多次元コード表示部に表示された多次元コードを読み取って家電機器の通信設定情報と機種情報とに変換する多次元コード読取部と、所定の通信方式で通信を行う第２の通信部と、多次元コード読取部により変換された通信設定情報に基づいて、第２の通信部から前記第１の通信部を介して第１の制御部にアクセスして家電機器を制御する第２の制御部と、画像情報を表示する表示部と、家電機器の機種情報に対応するアイコン画像データを複数記憶する記憶部と、を備え、第２の制御部は、読み取った多次元コードから変換された機種情報に対応するアイコン画像データに基づいて、家電機器のアイコンを表示部に表示させる。
【発明の効果】
【００１４】
この発明によれば、家電機器は、動的に割り当てられた通信設定情報を多次元コードに変換し表示する。一方、情報端末は、表示された多次元コードを読み取って通信設定情報に変換し、変換した通信設定情報に基づいて家電機器と通信する。このようにすれば、家電機器と情報端末との間で、動的な情報を多次元コードに変換して伝達することができる。また、家電機器と情報端末との間で、多次元コードの表示と読み取りで通信設定情報を伝達しているので、情報端末が家電機器を一意に識別することができる。この結果、特定の家電機器を操作端末から確実に制御することができる。
【図面の簡単な説明】
【００１５】
【図１】この発明の実施の形態１に係るネットワークシステムの概略的な構成を示すブロック図である。
【図２】携帯型情報端末の処理のフローチャートである。
【図３】家電機器の処理のフローチャートである。
【図４】この発明の実施の形態２に係るネットワークシステムの概略的な構成を示すブロック図である。
【図５】家電機器本体の処理のフローチャートである。
【図６】家電機器操作端末の処理のフローチャートである。
【発明を実施するための形態】
【００１６】
この発明の実施の形態について、図面を参照して詳細に説明する。
【００１７】
実施の形態１．
まず、この発明の実施の形態１について説明する。
【００１８】
図１には、この実施の形態１に係るネットワークシステム１の構成が示されている。図１に示すように、ネットワークシステム１は、携帯型情報端末１００と家電機器２００とを備える。
【００１９】
携帯型情報端末１００は、例えば携帯電話、スマートフォン又はモバイルコンピュータである。家電機器２００は、ネットワーク３００に接続可能な家電機器であればよい。家電機器２００は、例えば、テレビであってもよいし、エアコンであってもよいし、その他の家電機器であってもよい。
【００２０】
携帯型情報端末１００及び家電機器２００は、それぞれ通信ネットワークとしてのネットワーク３００に接続して通信を行うことが可能である。ネットワーク３００は、家電機器２００に対してＩＰアドレス等を通信設定情報を動的に割り当てる。すなわち、家電機器２００は、ネットワーク３００に接続する度に、そのＩＰアドレス等が異なっている。
【００２１】
携帯型情報端末１００の構成について説明する。
【００２２】
携帯型情報端末１００は、アンテナ１０１と、通信部１０２と、制御部１０３と、多次元コード読取部１０４と、コントローラ部１０５とを備える。
【００２３】
アンテナ１０１は無線通信によりネットワーク３００と接続するためのアンテナである。アンテナ１０１としては、構造の簡易さから、例えばダイポールアンテナが採用される。アンテナ１０１は通信部１０２に接続される。
【００２４】
第２の通信部としての通信部１０２は、アンテナ１０１と介してネットワーク３００と接続するための通信インターフェイスである。通信部１０２は、所定の通信方式を用いて通信を行う。通信部１０２は、例えば無線ＬＡＮ（Ｌｏｃａｌ  Ａｒｅａ  Ｎｅｔｗｏｒｋ）の通信インターフェイスである。通信部１０２は、制御部１０３に接続される。
【００２５】
制御部１０３は、例えば、ＣＰＵ（Ｃｅｎｔｒａｌ  Ｐｒｏｃｅｓｓｉｎｇ  Ｕｎｉｔ）とメモリと（いずれも不図示）を備える。制御部１０３は、ＣＰＵがメモリに格納されたプログラムを実行することにより、その機能を発揮する。制御部１０３は、多次元コード読取部１０４及びコントローラ部１０５に接続される。制御部１０３は、通信部１０２、多次元コード読取部１０４及びコントローラ部１０５からデータを入力し、通信部１０２及びコントローラ部１０５に適切な出力を送信する。
【００２６】
多次元コード読取部１０４は、多次元コードを撮影するカメラ（例えばＣＣＤ（Ｃｈａｒｇｅ  Ｃｏｕｐｌｅｄ  Ｄｅｖｉｃｅ）カメラ又はＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）カメラ）と、撮影した多次元コードを解析してデータに変換するプロセッサとを備える。より具体的には、多次元コード読取部１０４は、例えば、後述する家電機器２００の多次元コード表示部２０４に表示された多次元コードを読み取り、読み取った多次元コードをデータに変換して制御部１０３に送信する。多次元コードとしては、例えば、２次元コードの一種であるＱＲコード（登録商標）を採用することができる。
【００２７】
なお、多次元コードの解析およびデータへの変換は、制御部１０３で行うものとしてもよい。
【００２８】
操作部及び表示部としてのコントローラ部１０５は、例えば、画像情報を表示する表示部としての液晶画面と、ユーザからの操作入力を受け付ける操作部としての操作ボタンとを備える。コントローラ部１０５は、制御部１０３から入力したデータに基づいて、家電機器２００の状態を液晶画面に表示したり、ユーザが家電機器２００を操作するためのインターフェイスを提供する。
【００２９】
制御部１０３は、コントローラ部１０５に受け付けられた操作入力情報に基づく制御命令を、通信部１０２を介して、通信部２０１に送信し、通信部２０１を介して通信部１０２から受信した情報をコントローラ部１０５の表示画面に表示させる。
【００３０】
続いて、家電機器２００の構成について説明する。
【００３１】
家電機器２００は、通信部２０１と、制御部２０２と、多次元コード生成部２０３、多次元コード表示部２０４とを備える。
【００３２】
第１の通信部としての通信部２０１は、制御部２０２とネットワーク３００とに接続される。通信部２０１の通信方式は、携帯型情報端末１００の通信部１０２と同じである。ただし、ネットワーク３００への接続は有線であってもいいし、無線であってもいい。例えば、通信部１０２の通信方式が無線ＬＡＮであっても、通信部２０１の通信方式は有線とすることができる。
【００３３】
制御部２０２は、多次元コード生成部２０３と接続される。制御部２０２は、通信部２０１から受信したデータや、家電機器２００の状態変化などに応じて家電機器２００を制御する。制御部２０２は、例えば、ＣＰＵとメモリと（いずれも不図示）を備える。また、制御部２０２は、通信部２０１やその他の通信インタフェースから、多次元コードを表示する要求を受けた際には、表示するデータを多次元コード生成部２０３に送信する。表示するデータは、例えば、家電機器２００のＩＰアドレス、ポート番号などの通信設定情報を含んでいる。
【００３４】
多次元コード生成部２０３は、多次元コード表示部２０４に接続されている。多次元コード生成部２０３は、制御部２０２から送られてくるデータ（例えば通信設定情報）に基づいて多次元コードを生成し、生成した多次元コードを多次元コード表示部２０４に送信する。
【００３５】
多次元コード表示部２０４は、ディスプレイ（表示画面）、例えば液晶画面を備える。多次元コード表示部２０４は、多次元コード生成部２０３から送信されてくる多次元コードを液晶画面に表示する。
【００３６】
ネットワーク３００は、携帯型情報端末１００及び家電機器２００が接続される通信ネットワークである。ネットワーク３００上には、例えば、家電機器２００が接続するブロードバンドルータなどが存在する。
【００３７】
携帯型情報端末１００及び家電機器２００は、電源投入時などのタイミングにおいて、ネットワーク３００に接続する。
【００３８】
次に、この実施の形態に係るネットワークシステム１の動作について説明する。
【００３９】
まず、携帯型情報端末１００の処理について説明する。図２には、携帯型情報端末１００の処理が示されている。
【００４０】
まず、制御部１０３は、コントローラ部１０５の操作入力により、家電機器２００への接続要求が入力されるまで待つ（ステップＳ１１１；Ｎｏ）。接続要求が入力されると（ステップＳ１１１；Ｙｅｓ）、制御部１０３は、多次元コード読取部１０４を起動し、多次元コード読取部１０４により、家電機器２００の多次元コード表示部２０４に表示された多次元コードを読み取る（ステップＳ１１２）。
【００４１】
多次元コードには、携帯型情報端末１００が家電機器２００に、ネットワーク３００を介してアクセスするために必要な通信設定情報が含まれている。通信設定情報は、例えば、家電機器２００のＩＰアドレスやポート番号などである。
【００４２】
読み取った多次元コードは、多次元コード読取部１０４により通信設定情報に変換される（ステップＳ１１３）。変換された通信設定情報は、制御部１０３に送られる。制御部１０３は、多次元コード読取部１０４から入力した通信設定情報に基づいて、通信部１０２を介して家電機器２００にアクセスする（ステップＳ１１４）。
【００４３】
制御部１０３は、通信部１０２を介して例えば家電機器２００の情報を取得する（ステップＳ１１５）。このような情報には、家電機器２００の機能などに関するものがある。続いて、制御部１０３は、コントローラ部１０５の表示画面に、取得した情報を、ユーザに視認できるように表示する（ステップＳ１１６）。
【００４４】
続いて、制御部１０３は、コントローラ部１０５を介して制御命令が入力されるまで待つ（ステップＳ１１７；Ｎｏ）。制御命令が入力されると（ステップＳ１１７；Ｙｅｓ）、制御部１０３は、通信部１０２を介して、家電機器２００に制御命令を送信する（ステップＳ１１８）。
【００４５】
続いて、制御部１０３は、家電機器２００から応答を受信するまで待つ（ステップＳ１１９；Ｎｏ）。応答を受信すると（ステップＳ１１９；Ｙｅｓ）、制御部１０３は、コントローラ部１０５の表示画面に、応答に含まれる制御命令の実行結果に関する情報を家電機器２００の情報として表示する。
【００４６】
続いて、家電機器２００の処理について説明する。
【００４７】
図３には、家電機器２００の処理のフローチャートが示されている。図３に示すように、制御部２０２は、ネットワーク３００に接続した後に、ＩＰアドレスやポート番号などの通信設定情報を取得する（ステップＳ２１１）。続いて、多次元コード生成部２０３は、制御部２０２から受信した通信設定情報に基づいて多次元コードに生成する（ステップＳ２１２）。続いて、多次元コード表示部２０４は、生成された多次元コードを表示する（ステップＳ２１３）。
【００４８】
なお、多次元コードの生成及び表示は、家電機器２００がネットワーク３００に接続した、後すぐに行ってもいいし、家電機器２００のボタン操作などのユーザ入力があったタイミングで行われるようにしてもよい。
【００４９】
制御部２０２は、携帯型情報端末１００から、通信部２０１を介して制御命令を入力するまで待つ（ステップＳ２１４；Ｎｏ）、制御命令を入力すると（ステップＳ２１４；Ｙｅｓ）、制御部２０２は、制御命令を実行する（ステップＳ２１５）。続いて、制御部２０２は、制御命令の実行結果、すなわち応答を、通信部２０１を介して携帯型情報端末１００に返信する（ステップＳ２１６）。
【００５０】
以上詳細に説明したように、この実施の形態に係るネットワークシステム１は、家電機器２００は、動的に割り当てられた通信設定情報に基づいて多次元コードを生成し表示する。携帯型情報端末１００は、表示された多次元コードを読み取って通信設定情報に変換し、変換した通信設定情報に基づいて家電機器２００と通信する。このようにすれば、家電機器２００と携帯型情報端末１００との間で、動的な情報を多次元コードに変換して伝達することができる。また、家電機器２００と携帯型情報端末１００との間で、多次元コードの表示と読み取りで通信設定情報を伝達しているので、携帯型情報端末１００が家電機器２００を一意に識別することができる。この結果、家電機器２００と携帯型情報端末１００との間で、動的な情報を一対一で確実に送受信することができる。
【００５１】
また、この実施の形態によれば、ユーザが携帯型情報端末１００において通信設定をする必要がなく、誰でも簡易に通信を行うことができる。
【００５２】
なお、この実施の形態における多次元コードは、通信設定情報のみを含むものであるとした。しかしながら、家電機器２００の機種情報や機能情報、状態など、家電機器２００に関する情報を含むコードとしてもよい。家電機器２００の機種情報や機能情報、状態などを含む多次元コードとすることで、携帯型情報端末１００の多次元コード読取部１０４が、多次元コードを読み取って家電機器２００の情報に変換し、制御部１０３がコントローラ部１０５に、変換された家電機器２００の情報（例えば機種情報）を表示することができる。このようにすれば、多次元コードを正しく認識したがどうかをユーザが安易に確認することができる。
【００５３】
また、このとき表示する機種情報は、取得した機種情報を文字で表示するものであってもよいし、家電機器２００のアイコン画像データを含むものであってもよい。家電機器２００のアイコン画像データを含んでいれば、そのアイコンを表示することができる。また、携帯型情報端末１００側で、予めいくつかのアイコンを保持しておき、コントローラ部１０５で、取得した機種情報に対応するアイコンを表示するようにしてもよい。
【００５４】
実施の形態２．
次に、この発明の実施の形態２について説明する。
【００５５】
図４には、この実施の形態２に係るネットワークシステム１の構成が示されている。図４に示すように、本実施の形態におけるネットワークシステム１は、携帯型情報端末１００と、家電機器本体２１０と、ネットワーク３００と、操作端末４００とを備える。
【００５６】
携帯型情報端末１００及び家電機器本体２１０は、ネットワーク３００に接続されている。また、家電機器本体２１０と家電機器操作端末４００とは、アドホックに通信可能である。
【００５７】
携帯型情報端末１００の構成は、上記実施の形態１と同様である。
【００５８】
家電機器本体２１０は、上記実施の形態に係る家電機器２００の構成要素である、通信部２０１と、制御部２０２と、多次元コード生成部２０３とに加え、通信部２０５をさらに備える。
【００５９】
通信部２０１及び制御部２０２の機能は、上記実施の形態１と同様である。
【００６０】
多次元コード生成部２０３は、通信部２０５と接続される。多次元コード生成部２０３は、制御部２０２から受信したデータ（例えば、通信設定情報）に基づいて、多次元コードを生成し、通信部２０５を介して、家電機器操作端末４００の通信部４０１に送信する。
【００６１】
通信部２０５は、通信部１０２及び通信部２０１とは異なる通信方式によって通信部４０１との間で、データ送受信を行う。その通信方式は、例えば赤外線通信とする。
【００６２】
家電機器操作端末４００は、通信部４０１と、表示部４０２とを備える。家電機器操作端末４００は、例えば、家電機器２００に付属のリモートコントローラである。
【００６３】
通信部４０１は、表示部４０２に接続される。通信部４０１は、家電機器本体２１０の通信部２０５と通信を行い、通信部２０５が送信した多次元コードを受信し、表示部４０２に送信する。
【００６４】
表示部４０２は、通信部４０１から受信した多次元コードを表示する。
【００６５】
次に、この実施の形態２に係るネットワークシステム１の処理について説明する。
【００６６】
まず、携帯型情報端末１００の処理について説明する。
【００６７】
携帯型情報端末１００の処理は、上記実施の形態１とほぼ同様である。上記実施の形態１では、家電機器２００の多次元コード表示部２０４からＱＲコードを読み取ったが、この実施の形態では、携帯型情報端末１００は、家電機器操作端末４００の表示部４０２に表示される多次元コードを読み取る。
【００６８】
続いて、家電機器本体２１０の処理について説明する。図５には、家電機器本体２１０の処理が示されている。
【００６９】
制御部２０２は、ネットワーク３００に接続する（ステップＳ２２１）。これにより、ＩＰアドレスやポート番号などの通信設定情報が取得される。続いて、多次元コード生成部２０３は、制御部２０２から受信した通信設定情報に基づいて多次元コードを生成する（ステップＳ２２２）。続いて、制御部２０２は、多次元コードを通信部２０５を介して家電機器操作端末４００に送信する（ステップＳ２２３）。なお、多次元コードの生成及び送信は、家電機器２００がネットワーク３００に接続した後にすぐに行ってもよいし、ボタン操作などのユーザ入力のタイミングで行ってもよい。
【００７０】
家電機器２００のその後の処理、すなわちステップＳ２２４乃至ステップＳ２２６は、上記実施の形態１における家電機器２００の処理であるステップＳ２１４乃至ステップ２１６と同様であるため、詳細な説明を省略する。
【００７１】
続いて、家電機器操作端末４００の処理について、図６を参照して説明する。
【００７２】
家電機器操作端末４００は、通信部４０１を介して、家電機器本体２１０から送信された多次元コードを受信するまで待つ（ステップＳ４２１；Ｎｏ）。多次元コードを受信すると（ステップＳ４２１；Ｙｅｓ）、表示部４０２は、受信した多次元コードを表示する（ステップＳ４２２）。
【００７３】
以上詳細に説明したように、この実施の形態によれば、多次元コードを表示する表示部４０２を家電機器本体２１０ではなく、家電機器操作端末４００に設ける。このようにすれば、通信設定情報を表す多次元コードを家電機器２００から離れた場所に表示することが可能になる。これにより、例えば、天井などに設置され、携帯型情報端末４００を容易に接近させることができないような家電機器本体２１０に対しても、多次元コードを取得することができる。
【００７４】
なお、この実施の形態では、多次元コード生成部２０３を、家電機器本体２１０の構成要素としたが、家電機器操作端末４００の構成要素としてもよい。この場合、家電機器本体２１０から家電機器操作端末４００に送信されるのは、多次元コードではなく、通信設定情報になる。通信設定情報を受信した家電機器操作端末４００が、多次元コード生成部２０３によって多次元コードを生成して、多次元コード表示部２０４に表示する。
【００７５】
なお、上記実施の形態１、２では、携帯型情報端末１００と家電機器本体２１０とがアドホックに直接接続されるようにしてもよい。
【００７６】
なお、上記実施の形態において、実行されるプログラムは、フレキシブルディスク、ＣＤ−ＲＯＭ（Compact Disc Read-Only Memory）、ＤＶＤ（Digital Versatile Disc）、ＭＯ（Magneto-Optical Disc）等のコンピュータ読み取り可能な記録媒体に格納して配布し、そのプログラムをインストールすることにより、上述のプログラムを実行するシステムを構成することとしてもよい。
【００７７】
また、プログラムをインターネット等の通信ネットワーク上の所定のサーバ装置が有するディスク装置等に格納しておき、例えば、搬送波に重畳させて、ダウンロード等するようにしてもよい。
【００７８】
また、上述の機能を、ＯＳ（Operating System）が分担して実現する場合又はＯＳとアプリケーションとの協働により実現する場合等には、ＯＳ以外の部分のみを媒体に格納して配布してもよく、また、ダウンロード等してもよい。
【００７９】
この発明は、この発明の広義の精神と範囲を逸脱することなく、様々な実施の形態及び変形が可能とされるものである。また、上述した実施の形態は、この発明を説明するためのものであり、この発明の範囲を限定するものではない。すなわち、この発明の範囲は、実施の形態ではなく、特許請求の範囲によって示される。そして、特許請求の範囲内及びそれと同等の発明の意義の範囲内で施される様々な変形が、この発明の範囲内とみなされる。
【産業上の利用可能性】
【００８０】
この発明は、住宅内に設置されたテレビやエアコンなどの家電機器の状態に関する情報の表示や遠隔操作に好適である。
【符号の説明】
【００８１】
１    ネットワークシステム
１００    携帯型情報端末
１０１    アンテナ
１０２    通信部
１０３    制御部
１０４    多次元コード読取部
１０５    コントローラ部
２００    家電機器
２０１    通信部
２０２    制御部
２０３    多次元コード生成部
２０４    多次元コード表示部
２０５    通信部
３００    ネットワーク
４００    家電機器操作端末
４０１    通信部
【図１】
0005441967.tif 000002
【図２】
0005441967.tif 000003
【図３】
0005441967.tif 000004
【図４】
0005441967.tif 000005
【図５】
0005441967.tif 000006
【図６】
0005441967.tif 000007